(57)【要約】【課題】従来のように、複数個の切石を形成する必要がなく、また墓地に於いて、短時間に墓標を設置することができること。【解決手段】左右一対の外柵腰石１、１、後側の外柵腰石２、外柵前石４、外柵笠石５、左右一対の羽目８、後方の羽目９、上台石１０及び棹石１１が、一つの石材でもってかつ複数種類の切削手段を用いて一体に削り上げられ、少なくとも納骨室を形成する左右一対の外柵腰石１、１後側の外柵腰石２、外柵前石４、外柵笠石５が一体に連設形成されていると共に、外柵笠石５の上面に上台石１０及び棹石１１が一体に連設形成されている墓標。【選択図】図１
0003151808.tif 000002
【実用新案登録請求の範囲】
【請求項１】
左右一対の外柵腰石１、１、後側の外柵腰石２、外柵前石４、外柵笠石５、左右一対の羽目８、後方の羽目９、上台石１０及び棹石１１が、一つの石材でもってかつ複数種類の切削手段を用いて一体に削り上げられ、少なくとも納骨室を形成する前記左右一対の外柵腰石１、１、後側の外柵腰石２、前記外柵前石４、前記外柵笠石５が一体に連設形成されていると共に、前記外柵笠石５の上面に前記上台石１０及び前記棹石１１が一体に連設形成されていることを特徴と墓標。
【請求項２】
請求項１に於いて、複数種類の切削手段には、納骨室及び該納骨室に連通する納骨口を形成するボーリング機と、棹石１１を形成するＮＣダイヤモンド切削機と、前記棹石の下端部に水平溝を形成する切削機と、石材の外壁に切り込み加工を施すＮＣ旋盤とが含まれていることを特徴とする墓標。
【請求項３】
一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ一つの石材に連設形成し、前記納骨口は、前記墓標の要部がそれぞれ連設形成された一つ墓標本体に対して分離可能な蓋石によって閉塞されることを特徴とする墓標。
【考案の詳細な説明】
【技術分野】
【０００１】
この考案は、墓地に設置される墓標に関する。
【背景技術】
【０００２】
図９は、従来の洋式墓標Ｘの一例を示す分解斜視図である。この洋式墓標Ｘは、普通一般に洋型墓標Ｘと称され、例えば合計１７個の切石を組み合わせで出来上がっている。１７個の切石は、当業者の間でそれぞれ名称が付されている。
【０００３】
すなわち、１、１は地面Ｇに直接設置される左右一対の外柵腰石で、これらの外柵腰石１、１は肉厚の長方形の板状体に加工され、所要空間を有して左右に対設する。２は後側の外柵腰石で、この後側の外柵腰石２は、その左右両端部が前記外柵腰石１、１の後面に当接するように地面Ｇに直接設置される。
【０００４】
３、３は左右一対の外柵柱で、これらの外柵柱３、３は手前の地面Ｇに直接設置された外柵前石４の上面の左右端部に乗せられる。５は外柵笠石で、この外柵笠石５は左右側の外柵腰石１、１及び後側の外柵腰石２の上面に載置される。そして、６が外柵前石４の上面に載置される外柵蓋石である。
【０００５】
したがって、いわゆる納骨室７は、左右側の外柵腰石１、１、後側の外柵腰石２、左右側の外柵柱３、３、外柵前石４、外柵笠石５等の複数個の外柵石で画定された内部空間ということになる。
【０００６】
納骨室７は、手前が開口するので、前述した外柵蓋石６で閉じられる。また、納骨室７の下方は地面Ｇとなっている。
【０００７】
ここで「外柵」とは、板状体、杆状体、柱体などの複数個の切石を壁のように並べて積み合わせた外装部材をいい、外柵か否かは当業者の判断に委ねられる。したがって、上壁に相当する外柵笠石５の上面の左右の縁部に載置される左右一対の羽目８、８及び外柵笠石５の上面の後方縁部に載置される後方の羽目９も外柵である。
【０００８】
さらに、洋式墓標Ｘは、外柵笠石５の上面の後端部寄りの部位に載置される上台石１０と、この上台石１０の上面に載置される棹石１１と、上台石１０の中央部の前面に位置するように外柵笠石５の上面に設置される水鉢石１２と、この水鉢石１２の左右に位置するように外柵笠石５の上面に設置される左右一対の花立て石１３，１３とをそれぞれ有している。
【０００９】
従来の洋式墓標Ｘは、その外装部材を構成する複数個の切石を壁のように並べて積み合わせ、次に、外装部材の笠石５の上面に上台石１０を載せ、次に、上台石１０の上面に棹石１１を載置し、さらに、水鉢石１２と花立て石１３とを笠石５の上面に載せる。それに加えて、香呂１４を外柵笠石５の上面に載せる。
【００１０】
したがって、墓地に於いて、墓標（墓石）を設置する場合には、その手順如何を問わず、複数個の切石を積み上げるという作業をせざるを得なかった。そこで、現在、墓地に於いて、短時間で設置することができる墓標の出現が要望されている。
【００１１】
ところで、特許文献１、特許文献２には、例えば納骨室に雨水が侵入せず、そこが快適な空間に保持される石積み墓標を提供するために、外柵を構成する要台石の上に、外柵笠石、上台石、棹石をそれぞれ積み上げる墓標に於いて、前記地面に置かれる根台部（従来の外柵前石４）と、地面に置かれる左右の下台部（従来の左右側の外柵腰石１、１）と、地面に置かれる後方の下台部（従来の後側の外柵腰石２）とを、同一の石材に加工を施こすことにより一体成形することを特徴とする墓標が提案されている。この墓標は、下台側の外柵石（一体成形された一つの外柵石）は、平面視矩形状の開口に見える。
【００１２】
したがって、特許文献１等の墓標は、少なくとも、平面視矩形状の開口に見える下部外柵台と、この下部外柵台の上端開口を閉じるように該下部外柵台のコ字形状の上端面に載置される外柵笠石と、この外柵笠石の上面に載置される上台石と、この上台石１０の上面に載置される棹石とから成るので、墓地での石積み作業の効率化を図ることができるという利点がある。
【００１３】
しかしながら、特許文献１等の墓標は、墓地での石積み作業の効率化を図ることができるとは言っても、該墓標は、少なくとも「下部外柵台」と「上台石」と「棹石」の合計３つ以上の石から構成されているので、仮に、上台石や棹石を下部外柵台に上手（安定的）に積み上げたとしても、地震のときには、上台石が左右前後にズレ、或いは棹石が倒れるという問題点を有していた。
【先行技術文献】
【特許文献】
【００１４】
【特許文献１】登録実用新案第３０５９５６５号
【特許文献２】特許第４１７７５４０号
【考案の概要】
【考案が解決しようとする課題】
【００１５】
従来の墓標は、石積み方式なので、墓標を構成する主要部の切石をそれぞれ所定寸法に加工しなければならず、かつ加工した複数個の外柵石、上台石、棹石等を正確に積み合わせなければならないので、加工、墓地での積み合わせ等が非常に大変であった。本考案は、複数個の切石を形成する必要がなく、また、墓地に於いて、短時間に設置することができる墓標を提供することである。
【課題を解決するための手段】
【００１６】
本考案の墓標は、左右一対の外柵腰石１、１、後側の外柵腰石２、外柵前石４、外柵笠石５、左右一対の羽目８、後方の羽目９、上台石１０及び棹石１１が、一つの石材でもってかつ複数種類の切削手段を用いて一体に削り上げられ、少なくとも納骨室を形成する前記左右一対の外柵腰石１、１、後側の外柵腰石２、前記外柵前石４、前記外柵笠石５が一体に連設形成されていると共に、前記外柵笠石５の上面に前記上台石１０及び前記棹石１１が一体に連設形成されていることを特徴とする。
【００１７】
また、本考案の墓標は、一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ連設形成し、前記納骨口は、前記墓標の要部がそれぞれ連設形成された一つ墓標本体に対して分離可能な蓋石によって閉塞されることを特徴とする。ここで「墓標本体」は、蓋石を除いている。したがって、実施例によっては、香呂も一つの石材でもって外柵に連設形成しても良い。
【考案の効果】
【００１８】
一つの石材でもって、かつ複数種類の切削手段を用いて墓標の外柵、上台石及び棹石を一体成形した（一体に削り上げた）ので、例えば一機のロボット（一機の切削ロボット）を用いなくても、一つの石材に対して、切削する者が、まず、石材の下場に第１切削手段３１を用いて納骨室を形成し、次いで、第１切削手段３１とは異なる種類の第２切削手段３２等を用いて前記石材の上場に棹石を形成し、次いで、第１切削手段３１とは異なる第３切削手段３３、第４切削手段３４等を用いて、複数の外柵５、８、９、上台石１０ａをそれぞれ形成するので、図１乃至図５で示すような墓標Ｘ１が出来上がる。したがって、従来のように、複数個の切石を形成する必要がなく、また、墓地に於いて、短時間に墓標を設置することができる。
【００１９】
さらに、地震時の耐震性の観点からは、例えば大地震が発生した場合に、墓標自体が倒れ難く、特に、上台石、羽目、棹石等の墓標の要部がズレたり、或いは地面へと落下する恐れもない。
【図面の簡単な説明】
【００２０】
図１乃至図８は、本考案の一例を示す各説明図。図９は従来の一例を示す分解説明図。
【図１】斜視図（付属する蓋石と香呂も示す）。
【図２】正面図。
【図３】平面図。
【図４】右側面図。
【図５】縦断面説明図。
【図６】加工を示す説明図。
【図７】図６に続く加工を示す説明図。
【図８】図７に続く加工を示す説明図。
【図９】従来の一例を示す分解説明図。
【考案を実施するための最良の形態】
【００２１】
図１乃至図８は、本考案の一例を示す各説明図である。説明の便宜上、本考案に説明に当たって、従来の洋式墓標Ｘと同一の部分には同一の符号を付す。
【００２２】
図１では、本考案の洋式墓標Ｘ１と共に、外柵蓋石６と香呂１２を示す。本実施例では、外柵蓋石６と香呂１２以外の石は、一つの石でもって削り上げられている。
すなわち、墓標Ｘ１は、左右一対の外柵腰石１、１、後側の外柵腰石２、外柵前石４、外柵笠石５、左右一対の羽目８、後方の羽目９、上台石１０及び棹石１１を、一つの石材に対して、複数種類の切削手段を用いて一体に削り上げている。
【００２３】
付言すると、墓標Ｘ１は、一つの石に対して、後述の図６乃至図８の加工を施すことにより、外柵（１、１、２、４、５、８、８、９）と、該外柵を構成する笠石５の上面に連設する上台石１０と、この上台石１０に連設する棹石１１とを一つの石材で構成したものである。
【００２４】
したがって、本考案は、切石を積み上げる方式の「石造り墓標」が、例えば少なくとも地面Ｇに設置される左右一対の外柵腰石１、１と、地面Ｇに設置される後側の外柵腰石２と、地面Ｇに設置される外柵前石４と、前記左右側の外柵腰石１、１及び後側の外柵腰石２の上面に載置される外柵笠石５と、該外柵笠石５の上面に載置される上台石１０と、この上台石の上面に載置される棹石１１とを備える場合（腰石等と笠石がそれぞれ分離型）に適用することができる。なお、ここで「地面Ｇに設置される」とは、地面Ｇに直接設置される場合、根石（土台）に設置される場合の両方を含む。
【００２５】
また、特許文献１に記載されているように、平面視矩形状の開口に見える下部外柵台と、この下部外柵台の上端開口を閉じるように該下部外柵台のコ字形状の上端面に載置される外柵笠石と、この外柵笠石の上面に載置される上台石と、この上台石１０の上面に載置される棹石とから成る場合（腰石等と笠石とが一体成形型）にも適用することができる。
【００２６】
要は、左右一対の外柵腰石１、１、前記後側の外柵腰石２、前記外柵前石４、前記外柵笠石５、前記左右一対の羽目８、前記後方の羽目９、前記上台石１０及び前記棹石１１を、一つの石材でもって複数種類の切削手段を用いて一体に削り上げていれば良い。
このように複数種類の切削手段を用いて石積み墓標の主要部が一刀彫的に連設状態で成形された本考案の墓標Ｘ１は、図２の正面図で示すように、墓標の主要部は、従来の洋式墓標Ｘの如く「石積み墓標」に見えるものの、例えば図４の右側面図を参照にすると、外柵前石４と、右の外柵腰石１と、外柵笠石５と、右の羽目８と、後側の外柵腰石２との各境界線が全く現れず、右側の側壁が「一枚」に見える。したがって、墓標Ｘ１の縦断面は、図５で示すように同一の石材の断面形状となる。
【００２７】
ここで、図５を参照にすると、地面Ｇに設置された墓標Ｘ１の下端部には、外柵前石４から後側の外柵腰石２へと所定空間の納骨室７が形成され、該納骨室７は納骨口７ａと連通している。また、納骨室７の矩形状下端部７ａは開口している。
【００２８】
図６乃至図８は、墓標Ｘ１の加工の一例を示す。まず、図６に於いて、Ａは一つの石材２１Ａの一側上面（石材の下場、設置の際には一側下面）ａに第１切削手段３１を用いて所要の穴を掘り、いわゆる納骨室７を形成する行程である。この納骨室形成行程Ａでは、第１切削手段３１としてボーリング機を用いて角型の穴７をあけ、適宜に手加工を加えて納骨室７を仕上げる。
【００２９】
次に、Ｂは納骨室７を有する石材２１Ｂの上部側（石材の上場）ｂを、前記第１切削手段３１とは異なる種類の第２切削手段３２を用いて切削加工を施し、仮棹石１１ａを形成する仮棹石を形成工程である。この仮棹石形成工程Ｂでは、石材２１Ａを、例えば逆様にした上で、第２切削手段３２として公知のＮＣダイヤモンドビースソー又はこれに類似するダイヤモンドワイヤーソー等のＮＣダイヤモンド切削機を用いて、石材２１Ｂの上場の前側ｂ並びに後側ｂをそれぞれ適宜にカッとする。墓標Ｘ１は、前側の外観が重要なので、特に、上場の前側ｂは、後側ｂよりも幅広く削る。なお、細部的な加工の説明は割愛する。以下、同様である。
【００３０】
次に、Ｃは、第２切削手段３２及び第３切削手段３３を用いて、棹石１１を形成する棹石を形成工程である。この棹石形成工程Ｃでは、石材２１Ｃの上部側に形成した仮棹石１１ａの左右の側壁ｃを、第２切削手段３２を用いてそれぞれ切削し、また、第３切削手段３３を用いて、仮棹石１１ａの下端を水平方向に水平溝ｄを施して行く。この第３切削手段３３は、第１切削手段３１及び第２切削手段３２とは異なる種類の切削手段であり、水平溝ｄを形成する機能を有する。
【００３１】
次に、Ｄは、第４切削手段３３を用いて、仮外柵５ａ、８ａ、９ａ及び仮上台石１０ａを形成する仮外柵及び仮上台石形成工程である。この仮外柵及び仮上台石形成工程Ｄでは、石材２１Ｄの上部側（石材２１Ａの上端部に相当する部分）ｅ、ｆを、第４切削手段３４を用いてそれぞれ切り込み加工して行く。この第４切削手段３４は、第１切削手段３１乃至第３切削手段３３とは異なる種類の切削手段であり、例えば切り込み機能を有するＮＣ旋盤を用いる。
【００３２】
次に、Ｅは、第１切削手段３１及びその他の切削手段（例えば第４切削手段３３）を用いて、外柵前石４ａ、左右の柱３、笠石５等及び納骨口７ａを形成する前石及び納骨口形成工程である。この前石及び納骨口形成工程Ｅでは、石材２１Ｅの下部側（石材２１Ｄの下端部側の前部分に相当する所）ｇを、第１切削手段３１及び第４切削手段３４を用いて穴あけ及び切り込み加工して行く。
【００３３】
付言すると、第１切削手段３１としてボーリング機を用いて納骨口７ａに連通する矩形状の納骨口７ａを形成し、また、第４切削手段３４を用いて石材２１Ｅの下部側の前壁に左右方向に所定幅の切り込みを形成することにより、外観上、前石４、左右の柱３、笠石５及び左右一対の外柵腰石１、１をそれぞれ形成して行く。
【００３４】
次に、Ｆは、第１切削手段３１及びその他の切削手段（例えば第２乃至第４切削手段）を用いて、外柵羽目８、９及び仮上台石１０ｂを形成する羽目及び仮上台石形成工程である。この羽目及び仮上台石形成工程Ｆでは、石材２１Ｆの上部側ｈを、第１切削手段３１乃至第４切削手段３４を用いて穴あけのように及び切り込みのようにそれぞれ加工して行く。
【００３５】
その結果、左右一対の外柵羽目８、８、後方の羽目９及び仮上台石１０ｂが施される。なお、前記仮上台石１０ｂは、本実施例では、後述するように水鉢石１２と花立て石１３も一体形成されるので、仮の水鉢石部分と花立て石部分も含まれている。
【００３６】
次に、Ｇは、第１切削手段３１及びその他の切削手段（例えば第２乃至第４切削手段）を用いて、上台石１０及び水鉢石１２を形成する上台石及び水鉢石形成工程である。この上台石及び水鉢石形成工程Ｇには、水鉢石１２の左右に連設する左右一対の花立て石１３を形成する工程も含まれる。この上台石及び水鉢石形成工程Ｇでは、石材２１Ｇの上部側（石材２１Ｆの仮上台石１０ｂ）を、第１切削手段３１乃至第４切削手段３４を用いて穴あけ加工、切り込み加工、それに手加工や磨き加工３５を加えて行く。その結果、図１乃至図５で示すような墓標Ｘ１が出来上がる。
【実施例】
【００３７】
本実施例は様式墓標Ｘ１を一例にして説明したが、もちろん、墓標Ｘ１は様式に限定されるものではない。また、左右一対の羽目８、８、上台石１０、棹石１１等は、当該墓標の外観に適合するように適宜にアール、曲線、段差等が施される。
【００３８】
以上のように、本考案の墓標は、少なくとも地面Ｇに設置される左右一対の外柵腰石１、１と、地面Ｇに設置される後側の外柵腰石２と、地面Ｇに設置される外柵前石４と、前記左右側の外柵腰石１、１及び後側の外柵腰石２の上面に載置される外柵笠石５と、該外柵笠石５の上面の左右の縁部に載置される左右一対の羽目８、８及び外柵笠石５の上面の後方縁部に載置される後方の羽目９と、これらの羽目の間に位置するように前記外柵笠石５の上面に載置される上台石１０と、この上台石の上面に載置される棹石１１を備える石積み型の墓標に於いて、前記左右一対の外柵腰石１、１、前記後側の外柵腰石２、前記外柵前石４、前記外柵笠石５、前記左右一対の羽目８、前記後方の羽目９、前記上台石１０及び前記棹石１１を、同一の石材に対して、複数種類の切削手段を用いて一体に削り上げたことを特徴とする。
【００３９】
また、本考案の墓標は、一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ一つの石材に連設形成し、前記納骨口は、前記墓標の要部がそれぞれ連設形成された一つ墓標本体に対して分離可能な蓋石によって閉塞されることを特徴とする。
【産業上の利用可能性】
【００４０】
墓標を製造、販売する業者に利用される。
【符号の説明】
【００４１】
Ｘ１…墓標、１…左右一対の外柵腰石、２…後側の外柵腰石、３…柱、４…外柵前石、５…外柵笠石、６…蓋石、７…納骨室、８…左右一対の羽目、９…後方の羽目、１０…上台石、１１…棹石、１２…水鉢石、１３…左右一対の花立て石、３１…第１切削手段（ボーリング機）、３２…第２切削手段（ＮＣダイヤモンド切削機）、３３…第３切削手段（切削機）、３４…第４切削手段（ＮＣ旋盤）。
【図１】
0003151808.tif 000003
【図２】
0003151808.tif 000004
【図３】
0003151808.tif 000005
【図４】
0003151808.tif 000006
【図５】
0003151808.tif 000007
【図６】
0003151808.tif 000008
【図７】
0003151808.tif 000009
【図８】
0003151808.tif 000010
【図９】
0003151808.tif 000011
【手続補正書】
【提出日】平成21年5月1日(2009.5.1)
【手続補正１】
【補正対象書類名】明細書
【補正対象項目名】全文
【補正方法】変更
【補正の内容】
【考案の詳細な説明】
【技術分野】
【０００１】
この考案は、墓地に設置される墓標に関する。
【背景技術】
【０００２】
図９は、従来の洋式墓標Ｘの一例を示す分解斜視図である。この洋式墓標Ｘは、普通一般に洋型墓標Ｘと称され、例えば合計１７個の切石を組み合わせで出来上がっている。１７個の切石は、当業者の間でそれぞれ名称が付されている。
【０００３】
すなわち、１、１は地面Ｇに直接設置される左右一対の外柵腰石で、これらの外柵腰石１、１は肉厚の長方形の板状体に加工され、所要空間を有して左右に対設する。２は後側の外柵腰石で、この後側の外柵腰石２は、その左右両端部が前記外柵腰石１、１の後面に当接するように地面Ｇに直接設置される。
【０００４】
３、３は左右一対の外柵柱で、これらの外柵柱３、３は手前の地面Ｇに直接設置された外柵前石４の上面の左右端部に乗せられる。５は外柵笠石で、この外柵笠石５は左右側の外柵腰石１、１及び後側の外柵腰石２の上面に載置される。そして、６が外柵前石４の上面に載置される外柵蓋石である。
【０００５】
したがって、いわゆる納骨室７は、左右側の外柵腰石１、１、後側の外柵腰石２、左右側の外柵柱３、３、外柵前石４、外柵笠石５等の複数個の外柵石で画定された内部空間ということになる。
【０００６】
納骨室７は、手前が開口するので、前述した外柵蓋石６で閉じられる。また、納骨室７の下方は地面Ｇとなっている。
【０００７】
ここで「外柵」とは、板状体、杆状体、柱体などの複数個の切石を壁のように並べて積み合わせた外装部材をいい、外柵か否かは当業者の判断に委ねられる。したがって、上壁に相当する外柵笠石５の上面の左右の縁部に載置される左右一対の羽目８、８及び外柵笠石５の上面の後方縁部に載置される後方の羽目９も外柵である。
【０００８】
さらに、洋式墓標Ｘは、外柵笠石５の上面の後端部寄りの部位に載置される上台石１０と、この上台石１０の上面に載置される棹石１１と、上台石１０の中央部の前面に位置するように外柵笠石５の上面に設置される水鉢石１２と、この水鉢石１２の左右に位置するように外柵笠石５の上面に設置される左右一対の花立て石１３，１３とをそれぞれ有している。
【０００９】
従来の洋式墓標Ｘは、その外装部材を構成する複数個の切石を壁のように並べて積み合わせ、次に、外装部材の笠石５の上面に上台石１０を載せ、次に、上台石１０の上面に棹石１１を載置し、さらに、水鉢石１２と花立て石１３とを笠石５の上面に載せる。それに加えて、香呂１４を外柵笠石５の上面に載せる。
【００１０】
したがって、墓地に於いて、墓標（墓石）を設置する場合には、その手順如何を問わず、複数個の切石を積み上げるという作業をせざるを得なかった。そこで、現在、墓地に於いて、短時間で設置することができる墓標の出現が要望されている。
【００１１】
ところで、特許文献１、特許文献２には、例えば納骨室に雨水が侵入せず、そこが快適な空間に保持される石積み墓標を提供するために、外柵を構成する要台石の上に、外柵笠石、上台石、棹石をそれぞれ積み上げる墓標に於いて、前記地面に置かれる根台部（従来の外柵前石４）と、地面に置かれる左右の下台部（従来の左右側の外柵腰石１、１）と、地面に置かれる後方の下台部（従来の後側の外柵腰石２）とを、同一の石材に加工を施こすことにより一体成形することを特徴とする墓標が提案されている。この墓標は、下台側の外柵石（一体成形された一つの外柵石）は、平面視矩形状の開口に見える。
【００１２】
したがって、特許文献１等の墓標は、少なくとも、平面視矩形状の開口に見える下部外柵台と、この下部外柵台の上端開口を閉じるように該下部外柵台のコ字形状の上端面に載置される外柵笠石と、この外柵笠石の上面に載置される上台石と、この上台石１０の上面に載置される棹石とから成るので、墓地での石積み作業の効率化を図ることができるという利点がある。
【００１３】
しかしながら、特許文献１等の墓標は、墓地での石積み作業の効率化を図ることができるとは言っても、該墓標は、少なくとも「下部外柵台」と「上台石」と「棹石」の合計３つ以上の石から構成されているので、仮に、上台石や棹石を下部外柵台に上手（安定的）に積み上げたとしても、地震のときには、上台石が左右前後にズレ、或いは棹石が倒れるという問題点を有していた。
【先行技術文献】
【特許文献】
【００１４】
【特許文献１】登録実用新案第３０５９５６５号
【特許文献２】特許第４１７７５４０号
【考案の概要】
【考案が解決しようとする課題】
【００１５】
従来の墓標は、石積み方式なので、墓標を構成する主要部の切石をそれぞれ所定寸法に加工しなければならず、かつ加工した複数個の外柵石、上台石、棹石等を正確に積み合わせなければならないので、加工、墓地での積み合わせ等が非常に大変であった。本考案は、複数個の切石を形成する必要がなく、また、墓地に於いて、短時間に設置することができる墓標を提供することである。
【課題を解決するための手段】
【００１６】
本考案の墓標は、左右一対の外柵腰石１、１、後側の外柵腰石２、外柵前石４、外柵笠石５、左右一対の羽目８、８、後方の羽目９、上台石１０及び棹石１１が、一つの石材でもってかつ複数種類の切削手段を用いて一体に削り上げられ、少なくとも納骨室を形成する前記左右一対の外柵腰石１、１、後側の外柵腰石２、前記外柵前石４、前記外柵笠石５が一体に連設形成されていると共に、前記外柵笠石５の上面に前記上台石１０及び前記棹石１１が一体に連設形成されていることを特徴とする。
【００１７】
また、本考案の墓標は、一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ連設形成したことを特徴とする。ここで「墓標」は、蓋石を除いている。したがって、実施例によっては、香呂も一つの石材でもって外柵に連設形成しても良い。
【考案の効果】
【００１８】
一つの石材でもって、かつ複数種類の切削手段を用いて墓標の外柵、上台石及び棹石を一体成形した（一体に削り上げた）ので、例えば一機のロボット（一機の切削ロボット）を用いなくても、一つの石材に対して、切削する者が、まず、石材の下場に第１切削手段３１を用いて納骨室を形成し、次いで、第１切削手段３１とは異なる種類の第２切削手段３２等を用いて前記石材の上場に棹石を形成し、次いで、第１切削手段３１とは異なる第３切削手段３３、第４切削手段３４等を用いて、複数の外柵５、８、９、上台石１０ａをそれぞれ形成するので、図１乃至図５で示すような墓標Ｘ１が出来上がる。したがって、従来のように、複数個の切石を形成する必要がなく、また、墓地に於いて、短時間に墓標を設置することができる。
【００１９】
さらに、地震時の耐震性の観点からは、例えば大地震が発生した場合に、墓標自体が倒れ難く、特に、上台石、羽目、棹石等の墓標の要部がズレたり、或いは地面へと落下する恐れもない。
【図面の簡単な説明】
【００２０】
図１乃至図８は、本考案の一例を示す各説明図。図９は従来の一例を示す分解説明図。
【図１】斜視図（付属する蓋石と香呂も示す）。
【図２】正面図。
【図３】平面図。
【図４】右側面図。
【図５】縦断面説明図。
【図６】加工を示す説明図。
【図７】図６に続く加工を示す説明図。
【図８】図７に続く加工を示す説明図。
【図９】従来の一例を示す分解説明図。
【考案を実施するための最良の形態】
【００２１】
図１乃至図８は、本考案の一例を示す各説明図である。説明の便宜上、本考案に説明に当たって、従来の洋式墓標Ｘと同一の部分には同一の符号を付す。
【００２２】
図１では、本考案の洋式墓標Ｘ１と共に、外柵蓋石６と香呂１２を示す。本実施例では、外柵蓋石６と香呂１２以外の石は、一つの石でもって削り上げられている。
すなわち、墓標Ｘ１は、左右一対の外柵腰石１、１、後側の外柵腰石２、外柵前石４、外柵笠石５、左右一対の羽目８、後方の羽目９、上台石１０及び棹石１１を、一つの石材に対して、複数種類の切削手段を用いて一体に削り上げている。
【００２３】
付言すると、墓標Ｘ１は、一つの石に対して、後述の図６乃至図８の加工を施すことにより、外柵（１、１、２、４、５、８、８、９）と、該外柵を構成する笠石５の上面に連設する上台石１０と、この上台石１０に連設する棹石１１とを一つの石材で構成したものである。
【００２４】
したがって、本考案は、切石を積み上げる方式の「石造り墓標」が、例えば少なくとも地面Ｇに設置される左右一対の外柵腰石１、１と、地面Ｇに設置される後側の外柵腰石２と、地面Ｇに設置される外柵前石４と、前記左右側の外柵腰石１、１及び後側の外柵腰石２の上面に載置される外柵笠石５と、該外柵笠石５の上面に載置される上台石１０と、この上台石の上面に載置される棹石１１とを備える場合（腰石等と笠石がそれぞれ分離型）に適用することができる。なお、ここで「地面Ｇに設置される」とは、地面Ｇに直接設置される場合、根石（土台）に設置される場合の両方を含む。
【００２５】
また、特許文献１に記載されているように、平面視矩形状の開口に見える下部外柵台と、この下部外柵台の上端開口を閉じるように該下部外柵台のコ字形状の上端面に載置される外柵笠石と、この外柵笠石の上面に載置される上台石と、この上台石１０の上面に載置される棹石とから成る場合（腰石等と笠石とが一体成形型）にも適用することができる。
【００２６】
要は、左右一対の外柵腰石１、１、前記後側の外柵腰石２、前記外柵前石４、前記外柵笠石５、前記左右一対の羽目８、前記後方の羽目９、前記上台石１０及び前記棹石１１を、一つの石材でもって複数種類の切削手段を用いて一体に削り上げていれば良い。
このように複数種類の切削手段を用いて石積み墓標の主要部が一刀彫的に連設状態で成形された本考案の墓標Ｘ１は、図２の正面図で示すように、墓標の主要部は、従来の洋式墓標Ｘの如く「石積み墓標」に見えるものの、例えば図４の右側面図を参照にすると、外柵前石４と、右の外柵腰石１と、外柵笠石５と、右の羽目８と、後側の外柵腰石２との各境界線が全く現れず、右側の側壁が「一枚」に見える。したがって、墓標Ｘ１の縦断面は、図５で示すように同一の石材の断面形状となる。
【００２７】
ここで、図５を参照にすると、地面Ｇに設置された墓標Ｘ１の下端部には、外柵前石４から後側の外柵腰石２へと所定空間の納骨室７が形成され、該納骨室７は納骨口７ａと連通している。また、納骨室７の矩形状下端部７ａは開口している。
【００２８】
図６乃至図８は、墓標Ｘ１の加工の一例を示す。まず、図６に於いて、Ａは一つの石材２１Ａの一側上面（石材の下場、設置の際には一側下面）ａに第１切削手段３１を用いて所要の穴を掘り、いわゆる納骨室７を形成する行程である。この納骨室形成行程Ａでは、第１切削手段３１としてボーリング機を用いて角型の穴７をあけ、適宜に手加工を加えて納骨室７を仕上げる。
【００２９】
次に、Ｂは納骨室７を有する石材２１Ｂの上部側（石材の上場）ｂを、前記第１切削手段３１とは異なる種類の第２切削手段３２を用いて切削加工を施し、仮棹石１１ａを形成する仮棹石を形成工程である。この仮棹石形成工程Ｂでは、石材２１Ａを、例えば逆様にした上で、第２切削手段３２として公知のＮＣダイヤモンドビースソー又はこれに類似するダイヤモンドワイヤーソー等のＮＣダイヤモンド切削機を用いて、石材２１Ｂの上場の前側ｂ並びに後側ｂをそれぞれ適宜にカッとする。墓標Ｘ１は、前側の外観が重要なので、特に、上場の前側ｂは、後側ｂよりも幅広く削る。なお、細部的な加工の説明は割愛する。以下、同様である。
【００３０】
次に、Ｃは、第２切削手段３２及び第３切削手段３３を用いて、棹石１１を形成する棹石を形成工程である。この棹石形成工程Ｃでは、石材２１Ｃの上部側に形成した仮棹石１１ａの左右の側壁ｃを、第２切削手段３２を用いてそれぞれ切削し、また、第３切削手段３３を用いて、仮棹石１１ａの下端を水平方向に水平溝ｄを施して行く。この第３切削手段３３は、第１切削手段３１及び第２切削手段３２とは異なる種類の切削手段であり、水平溝ｄを形成する機能を有する。
【００３１】
次に、Ｄは、第４切削手段３３を用いて、仮外柵５ａ、８ａ、９ａ及び仮上台石１０ａを形成する仮外柵及び仮上台石形成工程である。この仮外柵及び仮上台石形成工程Ｄでは、石材２１Ｄの上部側（石材２１Ａの上端部に相当する部分）ｅ、ｆを、第４切削手段３４を用いてそれぞれ切り込み加工して行く。この第４切削手段３４は、第１切削手段３１乃至第３切削手段３３とは異なる種類の切削手段であり、例えば切り込み機能を有するＮＣ旋盤を用いる。
【００３２】
次に、Ｅは、第１切削手段３１及びその他の切削手段（例えば第４切削手段３３）を用いて、外柵前石４ａ、左右の柱３、笠石５等及び納骨口７ａを形成する前石及び納骨口形成工程である。この前石及び納骨口形成工程Ｅでは、石材２１Ｅの下部側（石材２１Ｄの下端部側の前部分に相当する所）ｇを、第１切削手段３１及び第４切削手段３４を用いて穴あけ及び切り込み加工して行く。
【００３３】
付言すると、第１切削手段３１としてボーリング機を用いて納骨口７ａに連通する矩形状の納骨口７ａを形成し、また、第４切削手段３４を用いて石材２１Ｅの下部側の前壁に左右方向に所定幅の切り込みを形成することにより、外観上、前石４、左右の柱３、笠石５及び左右一対の外柵腰石１、１をそれぞれ形成して行く。
【００３４】
次に、Ｆは、第１切削手段３１及びその他の切削手段（例えば第２乃至第４切削手段）を用いて、外柵羽目８、９及び仮上台石１０ｂを形成する羽目及び仮上台石形成工程である。この羽目及び仮上台石形成工程Ｆでは、石材２１Ｆの上部側ｈを、第１切削手段３１乃至第４切削手段３４を用いて穴あけのように及び切り込みのようにそれぞれ加工して行く。
【００３５】
その結果、左右一対の外柵羽目８、８、後方の羽目９及び仮上台石１０ｂが施される。なお、前記仮上台石１０ｂは、本実施例では、後述するように水鉢石１２と花立て石１３も一体形成されるので、仮の水鉢石部分と花立て石部分も含まれている。
【００３６】
次に、Ｇは、第１切削手段３１及びその他の切削手段（例えば第２乃至第４切削手段）を用いて、上台石１０及び水鉢石１２を形成する上台石及び水鉢石形成工程である。この上台石及び水鉢石形成工程Ｇには、水鉢石１２の左右に連設する左右一対の花立て石１３を形成する工程も含まれる。この上台石及び水鉢石形成工程Ｇでは、石材２１Ｇの上部側（石材２１Ｆの仮上台石１０ｂ）を、第１切削手段３１乃至第４切削手段３４を用いて穴あけ加工、切り込み加工、それに手加工や磨き加工３５を加えて行く。その結果、図１乃至図５で示すような墓標Ｘ１が出来上がる。
【実施例】
【００３７】
本実施例は様式墓標Ｘ１を一例にして説明したが、もちろん、墓標Ｘ１は様式に限定されるものではない。また、左右一対の羽目８、８、上台石１０、棹石１１等は、当該墓標の外観に適合するように適宜にアール、曲線、段差等が施される。
【００３８】
以上のように、本考案の墓標は、少なくとも地面Ｇに設置される左右一対の外柵腰石１、１と、地面Ｇに設置される後側の外柵腰石２と、地面Ｇに設置される外柵前石４と、前記左右側の外柵腰石１、１及び後側の外柵腰石２の上面に載置される外柵笠石５と、該外柵笠石５の上面の左右の縁部に載置される左右一対の羽目８、８及び外柵笠石５の上面の後方縁部に載置される後方の羽目９と、これらの羽目の間に位置するように前記外柵笠石５の上面に載置される上台石１０と、この上台石の上面に載置される棹石１１を備える石積み型の墓標に於いて、前記左右一対の外柵腰石１、１、前記後側の外柵腰石２、前記外柵前石４、前記外柵笠石５、前記左右一対の羽目８、前記後方の羽目９、前記上台石１０及び前記棹石１１を、同一の石材に対して、複数種類の切削手段を用いて一体に削り上げたことを特徴とする。
【００３９】
また、本考案の墓標は、一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ一つの石材に連設形成し、前記納骨口は、前記墓標の要部がそれぞれ連設形成された一つ墓標本体に対して分離可能な蓋石によって閉塞されることを特徴とする。
【産業上の利用可能性】
【００４０】
墓標を製造、販売する業者に利用される。
【符号の説明】
【００４１】
Ｘ１…墓標、１…左右一対の外柵腰石、２…後側の外柵腰石、３…柱、４…外柵前石、５…外柵笠石、６…蓋石、７…納骨室、８…左右一対の羽目、９…後方の羽目、１０…上台石、１１…棹石、１２…水鉢石、１３…左右一対の花立て石、３１…第１切削手段（ボーリング機）、３２…第２切削手段（ＮＣダイヤモンド切削機）、３３…第３切削手段（切削機）、３４…第４切削手段（ＮＣ旋盤）。
【手続補正２】
【補正対象書類名】実用新案登録請求の範囲
【補正対象項目名】全文
【補正方法】変更
【補正の内容】
【実用新案登録請求の範囲】
【請求項１】
左右一対の外柵腰石１、１、後側の外柵腰石２、外柵前石４、外柵笠石５、左右一対の羽目８、８、後方の羽目９、上台石１０及び棹石１１が、一つの石材でもってかつ複数種類の切削手段を用いて一体に削り上げられ、少なくとも納骨室を形成する前記左右一対の外柵腰石１、１、後側の外柵腰石２、前記外柵前石４、前記外柵笠石５が一体に連設形成されていると共に、前記外柵笠石５の上面に前記上台石１０及び前記棹石１１が一体に連設形成されていることを特徴とする墓標。
【請求項２】
請求項１に於いて、複数種類の切削手段には、納骨室及び該納骨室に連通する納骨口を形成するボーリング機と、棹石１１を形成するＮＣダイヤモンド切削機と、前記棹石の下端部に水平溝を形成する切削機と、石材の外壁に切り込み加工を施すＮＣ旋盤とが含まれていることを特徴とする墓標。
【請求項３】
一つの石材の下場に納骨口を有すると共に下面開口の納骨室を形成し、また、該石材の中央部の前側に前記納骨室の上壁を構成する外柵笠石を外観上連設形成し、また、前記外柵笠石を基準として該外柵笠石の上面側に上台石及び該上台石を取り囲む左右一対の羽目及び後方の羽目をそれぞれ連設形成し、また、前記上台石の上面に棹石を連設形成し、さらに、前記上台石の前面及び前記左右一対の羽目内に左右一対の花立て石と該花立て石の間に水鉢石をそれぞれ一つの石材に連設形成したことを特徴とする墓標。